(57)【要約】【課題】落下などの衝撃によって押釦スイッチなどの操作部材の変形や破損を防ぎ、耐衝撃性の向上を図る。【解決手段】上部に時計ガラス２が装着されると共に側部に時計バンド７が取り付けられ、且つ時計ガラス２と時計バンド７との間に押釦スイッチ１１が設けられた硬質材料からなるケース本体１と、このケース本体１の外表面に押釦スイッチ１１の操作釦１３を囲んで被覆された軟質材料からなるベゼル２０とを備え、操作釦１３が位置する個所におけるケース本体１の時計バンド７側に、ベゼル２０が押釦スイッチ１１側に向けて変形するのを阻止する突起部２２を設けた。従って、落下などの衝撃をベゼル２０で吸収するときに、突起部２２によってベゼル２０が押釦スイッチ１１側に向けて変形するのを阻止し、ベゼル２０が押釦スイッチ１１にぶつかって操作釦１３および釦軸１４の変形や破損を防ぐことができ、これにより耐衝撃性の向上を図ることができる。【選択図】        図２
2004177296.tif 000002
【特許請求の範囲】
【請求項１】
上部に時計ガラスが装着されると共に側部に時計バンドが取り付けられ、且つ前記時計ガラスと前記時計バンドとの間に操作部材が設けられた硬質材料からなるケース本体と、このケース本体の外表面に前記操作部材を囲んで被覆された軟質材料からなる緩衝部材とを備え、
前記操作部材が対応する個所における前記ケース本体の少なくとも前記時計バンド側に、前記緩衝部材が前記操作部材側に向けて変形するのを阻止する突起部を形成したことを特徴とする腕時計。
【請求項２】
前記突起部は前記操作部材の動作領域内に位置する個所に設けられ、前記操作部材にはその押圧操作時に前記突起部が相対的に挿脱可能に挿入する切欠凹部が設けられていることを特徴とする請求項１に記載の腕時計。
【請求項３】
前記突起部は前記操作部材の動作領域外に位置する個所に設けられ、前記緩衝部材には前記突起部が挿入する切欠凹部が設けられていることを特徴とする請求項１に記載の腕時計。
【発明の詳細な説明】
【０００１】
【発明の属する技術分野】
この発明は耐衝撃性の腕時計に関する。
【０００２】
【従来の技術】
従来、腕時計においては、内部に時計モジュールを収納するケース本体の上部に時計ガラスが装着され、このケース本体の１２時側と６時側とに位置する側部に時計バンドを取り付けるバンド取付部が設けられていると共に、ケース本体における６時側のバンド取付部と時計ガラスとの間に位置する個所に押釦スイッチが設けられ、この押釦スイッチを囲んだ状態でケース本体の外表面に合成樹脂製のベゼルを被覆し、このベゼルによって落下などの衝撃を吸収してケース本体内の時計モジュールを保護するように構成したものがある（例えば、特許文献１参照。）。
【０００３】
【特許文献１】
特開平１０−１９９３６１号公報
【０００４】
【発明が解決しようとする課題】
しかしながら、このような腕時計では、ケース本体の外表面に設けられた合成樹脂製のベゼルによって、落下などの衝撃を吸収してケース本体内の時計モジュールを保護しているが、腕時計を裏蓋側を下にして落とした場合、時計バンドに上方向の力が加って、ベゼルが変形して押釦スイッチの操作釦にぶつかり、押釦スイッチの操作釦や釦軸が変形したり破損したりするという問題がある。
【０００５】
この発明の課題は、落下などの衝撃によって押釦スイッチなどの操作部材の変形や破損を防ぎ、耐衝撃性の向上を図ることである。
【０００６】
【課題を解決するための手段】
この発明は、上記課題を解決するために、次のような構成要素を備えている。なお、各構成要素には、後述する各実施形態の項で説明される各要素に付されている図面の参照番号などを括弧と共に付す。
請求項１に記載の発明は、図１〜図３に示すように、上部に時計ガラス（２）が装着されると共に側部に時計バンド（７）が取り付けられ、且つ前記時計ガラスと前記時計バンドとの間に操作部材（押釦スイッチ１１）が設けられた硬質材料からなるケース本体（１）と、このケース本体の外表面に前記操作部材を囲んで被覆された軟質材料からなる緩衝部材（ベゼル２０）とを備え、前記操作部材が対応する個所における前記ケース本体の少なくとも前記時計バンド側に、前記緩衝部材が前記操作部材側に向けて変形するのを阻止する突起部（２２、３０）を形成したことを特徴とする腕時計である。
【０００７】
この発明によれば、落下などの衝撃を受けても、その衝撃をケース本体の外表面に被覆された軟質材料からなる緩衝部材によって吸収することができると共に、操作部材が対応する個所におけるケース本体の少なくとも時計バンド側に突起部が形成されているので、特に時計バンドに上方向の力が加わって緩衝部材が変形しても、突起部によって緩衝部材が変形するのを阻止することができ、このため緩衝部材が操作部材にぶつかって操作部材を変形させたり破損させたりするのを防ぐことができ、これにより耐衝撃性を向上させることができる。
【０００８】
請求項２に記載の発明は、図２に示すように、前記突起部（２２）が前記操作部材（押釦スイッチ１１）の動作領域内に位置する個所に設けられ、前記操作部材にはその押圧操作時に前記突起部が相対的に挿脱可能に挿入する切欠凹部（２３）が設けられていることを特徴とする請求項１に記載の腕時計である。
この発明によれば、請求項１に記載の発明と同様、突起部によって緩衝部材が操作部材に向けて変形するのを阻止して緩衝部材の変形による操作部材の変形や破損を防ぎ、耐衝撃性を向上させることができるほか、特に突起部が操作部材の動作領域内に設けられていても、操作部材の操作時に突起部が操作部材の切欠凹部に相対的に挿脱可能に挿入するので、突起部が操作部材の操作の邪魔にならず、操作部材を円滑に操作することができる。
【０００９】
請求項３に記載の発明は、図３に示すように、前記突起部（３０）が前記操作部材（押釦スイッチ１１）の動作領域外に位置する個所に設けられ、前記緩衝部材（ベゼル２０）には前記突起部が挿入する切欠凹部（３１）が設けられていることを特徴とする請求項１に記載の腕時計である。
この発明によれば、請求項１に記載の発明と同様、突起部によって緩衝部材の変形を阻止して緩衝部材の変形による操作部材の変形や破損を防ぎ、耐衝撃性を向上させることができるほか、特に緩衝部材に突起部が挿入する切欠凹部を設けて、突起部を操作部材の動作領域外に設けているので、突起部が操作部材の動作領域内に突出して邪魔になることがなく、これにより操作部材の操作スペースを確実に且つ十分に確保することができ、このためより一層、操作部材を円滑に操作することができる。
【００１０】
【発明の実施の形態】
［第１実施形態］
以下、図１および図２を参照して、この発明を適用した腕時計の第１実施形態について説明する。
図１はこの発明の腕時計のケース本体を示した正面図、図２はそのＡ−Ａ矢視における腕時計の要部を示した拡大断面図である。この腕時計は、図１に示すように、ケース本体１を備えている。このケース本体１は、硬質材料、例えばステンレスなどの金属または硬質の合成樹脂によって形成されている。このケース本体１の上部中央には、図２に示すように、時計ガラス２が装着されており、このケース本体１の内部には時計モジュール３が収納されている。また、このケース本体１の下部には裏蓋４が防水リング５を介して取り付けられている。
【００１１】
この場合、時計モジュール３は、アナログ機能とデジタル機能とのうち、少なくとも一方を備えている。すなわち、アナログ機能は、アナログムーブメントを備え、このアナログムーブメントの指針軸が文字板の上方に突出し、この突出した指針軸の上端部に時針、分針、秒針などの指針が取り付けられ、この指針が文字板の上方を運針するように構成されたものである。また、デジタル機能は、液晶表示素子などの平面型の表示素子を備え、この表示素子で時刻などの情報を電気光学的に表示するように構成されたものである。
【００１２】
また、ケース本体１の外側部における１２時と６時とに位置する個所には、図１および図２に示すように、バンド取付部６が設けられており、このバンド取付部６には、図２に示すように、時計バンド７が取付ピン８によって取り付けられている。さらに、このケース本体１の外側部における３時、６時、９時に位置する個所には、図１に示すように、押釦スイッチ１０〜１２がそれぞれ設けられている。これら押釦スイッチ１０〜１２は、いずれも同じ構造になっており、以下、６時に位置する個所の押釦スイッチ１１について説明する。
【００１３】
すなわち、６時に位置する個所の押釦スイッチ１１は、図２に示すように、操作釦１３、釦軸１４、およびコイルばね１５を備えている。釦軸１４は、ケース本体１に設けられた貫通孔１６に防水リング１７およびワッシャ１８を介してスライド可能に挿入され、この状態で一端部がケース本体１の外部に突出し、他端部がケース本体１の内部に突出し、この内部に突出した先端部分に抜け止め用のＥリング１９が取り付けられた構成になっている。操作釦１３は、ケース本体１の外部に突出した釦軸１４の先端部分に取り付けられている。コイルばね１５は、操作釦１３とワッシャ１８との間に位置する釦軸１４の外周に巻き付けられた状態で配置され、操作釦１３をケース本体１の外側に向けて付勢するように構成されている。
【００１４】
これにより、押釦スイッチ１１は、図２に示すように、コイルばね１５のばね力に抗して操作釦１３が押圧されると、釦軸１４がケース本体１の内部に向けてスライドし、釦軸１４の内部側の先端が時計モジュール３のスイッチ接点部（図示せず）を押圧してオン状態にし、また操作釦１３から外力が取り除かれると、コイルばね１５のばね力によって操作釦１３がケース本体１の外部に向けて押し出され、これに伴って釦軸１４がスライドして釦軸１４の内部側の先端が時計モジュール３のスイッチ接点部から離れ、釦軸１４のＥリング１９がケース本体１の内面に当接してオフ状態になるように構成されている。
【００１５】
一方、ケース本体１の外表面には、図２に示すように、押釦スイッチ１０〜１２をそれぞれ囲んだ状態でベゼル２０が被覆されている。このベゼル２０は、軟質材料、例えばポリウレタン樹脂などの軟質合成樹脂からなり、押釦スイッチ１０〜１２の各操作釦１３が挿入して外部に露出する開口部２１がそれぞれ設けられ、この開口部２１の外周部分が操作釦１３よりも上方に突出するカルデラ状に形成された構成になっている。
【００１６】
この場合、特に６時に位置する押釦スイッチ１１の操作釦１３に対応する個所のケース本体１、つまり操作釦１３の動作領域内であるベゼル２０の開口部２１内に位置する個所におけるケース本体１の時計バンド７側には、図２に示すように、ベゼル２０が押釦スイッチ１１側に向けて変形するのを阻止する突起部２２がベゼル２０の開口部２１の内面に当接した状態で設けられている。また、押釦スイッチ１１の操作釦１３の下面における突起部２２と対応する個所は、突起部２２が相対的に挿脱可能に挿入する切欠凹部２３が設けられている。
【００１７】
このような腕時計によれば、落下などの衝撃を受けても、その衝撃をケース本体１の外表面に被覆された軟質材料からなるベゼル２０によって吸収することができると共に、６時に位置する押釦スイッチ１１の操作釦１３の動作領域内におけるケース本体１の時計バンド７側に突起部２２が形成されているので、特に６時側の時計バンド７に上方向の力が加わってベゼル２０が変形しても、突起部２２によってベゼル２０が押釦スイッチ１１側に向けて変形するのを阻止することができる。
【００１８】
このため、ベゼル２０が押釦スイッチ１１にぶつかって押釦スイッチ１１の操作釦１３や釦軸１４が変形したり破損したりするのを防ぐことができ、これにより耐衝撃性を向上させることができる。この場合には、突起部２２が押釦スイッチ１１の操作釦１３の動作領域内であるベゼル２０の開口部２１内に対応する個所に設けられ、押釦スイッチ１１の操作釦１３に、突起部２２が相対的に挿脱可能に挿入する切欠凹部２３が設けられているので、突起部２２を操作釦１３の動作領域内に設けても、操作釦１３の操作時に突起部が操作釦１３の邪魔にならず、押釦スイッチ１１を円滑に操作することができる。
【００１９】
［第２実施形態］
次に、図３を参照して、この発明を適用した腕時計の第２実施形態について説明する。なお、図１および図２に示された第１実施形態と同一部分には同一符号を付して説明する。
この腕時計は、ベゼル２０が押釦スイッチ１１側に向けて変形するのを阻止する突起部３０の位置が第１実施形態と異なる構造で、これ以外は第１実施形態とほぼ同じ構造になっている。
【００２０】
すなわち、この突起部３０は、押釦スイッチ１１の操作釦１３の動作領域外に位置するケース本体１の時計バンド７側、つまりベゼル２０の開口部２１の内周面の外側に位置するケース本体１の時計バンド７側に設けられている。これに伴って、ベゼル２０の開口部２１の内周面の外側に位置する時計バンド７側には、突起部３０が挿入する切欠凹部３１が設けられている。
【００２１】
このような腕時計によれば、押釦スイッチ１１の操作釦１３の動作領域外に位置するケース本体１の時計バンド７側に突起部３０を設け、ベゼル２０の開口部２１の内周面における時計バンド７側に突起部３０が挿入する切欠凹部３１を設けたので、第１実施形態と同様、６時側の時計バンド７の上方向からベゼル２０に衝撃が加わっても、突起部３０によってベゼル２０が押釦スイッチ１１側に向けて変形するのを阻止してベゼル２０の変形による押釦スイッチ１１の操作釦１３および釦軸１４の変形や破損を防ぎ、耐衝撃性を向上させることができる。
【００２２】
この場合には、特にベゼル２０に突起部３０が挿入する切欠凹部３１が設けられていることにより、突起部３０を押釦スイッチ１１の操作釦１３の動作領域外に設けることができ、このため突起部３０が操作釦１３の動作領域内に突出して邪魔になることがないので、操作釦１３の操作スペースを確実に且つ十分に確保することができ、より一層、押釦スイッチ１１を円滑に操作することができる。
【００２３】
なお、上記第１、第２実施形態では、突起部２２または３０をケース本体１の外表面の６時側における時計バンド７側のみに設けた場合について述べたが、これに限らず、例えばケース本体１の外表面における時計ガラス２側にも設けても良く、また６時側の時計バンド７側および時計ガラス２側の２か所に限らず、ベゼル２０が衝撃を受けやすい個所であれば、３か所以上に設けても良い。
【００２４】
【発明の効果】
以上説明したように、この発明によれば、上部に装着された時計ガラスと側部に取り付けられた時計バンドとの間に操作部材が設けられた硬質材料からなるケース本体と、このケース本体の外表面に操作部材を囲んで被覆された軟質材料からなる緩衝部材とを備え、操作部材が対応する個所におけるケース本体の少なくとも時計バンド側に、緩衝部材が操作部材側に向けて変形するのを阻止する突起部を形成したので、落下などの衝撃を受けても、その衝撃を緩衝部材によって吸収できると共に、ケース本体の少なくとも時計バンド側に突起部が形成されていることにより、時計バンドに上方向の力が加わって緩衝部材が変形しても、突起部によって緩衝部材が操作部材に向けて変形するのを阻止することができ、このため緩衝部材が操作部材にぶつかって操作部材を変形させたり破損させたりするのを防ぐことができ、これにより耐衝撃性を向上させることができる。
【００２５】
この場合、突起部が操作部材の動作領域内に位置する個所に設けられ、操作部材にはその押圧操作時に突起部が相対的に挿脱可能に挿入する切欠凹部が設けられていることにより、突起部を操作部材の動作領域内に設けても、操作部材の操作時に突起部が操作部材の切欠凹部に相対的に挿脱可能に挿入するので、突起部が操作部材の操作の邪魔にならず、操作部材を円滑に操作することができる。
また、突起部が前記操作部材の動作領域外に位置する個所に設けられ、緩衝部材には突起部が挿入する切欠凹部が設けられていることにより、突起部が操作部材の動作領域内に突出して邪魔になることがないので、操作部材の操作スペースを確実に且つ十分に確保することができ、このためより一層、操作部材を円滑に操作することができる。
【図面の簡単な説明】
【図１】この発明の腕時計の第１実施形態におけるケース本体を示した正面図。
【図２】図１のＡ−Ａ矢視における腕時計の要部を示した拡大断面図。
【図３】この発明の腕時計の第２実施形態における要部の拡大断面図。
【符号の説明】
１  ケース本体
２  時計ガラス
３  時計モジュール
６  バンド取付部
７  時計バンド
１１  押釦スイッチ
１３  操作釦
１４  釦軸
１５  コイルばね
２０  ベゼル
２１  開口部
２２、３０  突起部
２３、３１  切欠凹部
【図１】
2004177296.tif 000003
【図２】
2004177296.tif 000004
【図３】
2004177296.tif 000005